(57)【特許請求の範囲】
【請求項１】
送受信装置と他の送受信装置に送受信可能なようにネットワーク又は電話回線を介して接続してなる送受信システムにおいて、
上記送受信装置には送受信するための必要となるデータを記憶する揮発性メモリから構成される記憶手段と、
一つの送受信装置の電源断により、該電源断された送受信装置の記憶手段に記憶されたデータを、他に接続された送受信装置へと転送して記憶保持させるようにしてなる制御手段と、を備え、
上記送受信装置は、接続された他の送受信装置へと記憶手段に記憶されたデータを転送するために、電源断により上記記憶手段に記憶されたデータを転送するために複数の転送先の送受信装置を任意に設定登録できる操作部を備え、
上記制御手段は、電源断に応じて設定登録されネットワーク接続された送受信装置の中から転送可能か否かを確認し、転送可能な送受信装置へと上記記憶手段に記憶されたデータを転送してなり、当該転送可能な送受信装置がない場合、電話回線を介して接続され設定登録された外部の送受信装置の中から転送可能状態を確認し、転送可能な外部の送受信装置へと上記記憶手段に記憶されたデータを転送するようにしたことを特徴とするバックアップ機能を備えた送受信システム。
【請求項２】
送受信装置と他の送受信装置に送受信可能なようにネットワーク又は電話回線を介して接続してなる送受信システムにおいて、
上記送受信装置には送受信するための必要となるデータを記憶する揮発性メモリから構成される記憶手段と、
一つの送受信装置の電源断により、該電源断された送受信装置の記憶手段に記憶されたデータを、他に接続された送受信装置へと転送して記憶保持させるようにしてなる制御手段と、
上記電源断された送受信装置の記憶手段に記憶されたデータを、他の接続された送受信装置へと転送する転送先の送受信装置を任意に設定登録できる操作部とを備え、
上記制御手段は、転送した転送先の送受信装置からデータの転送が完了した結果を不揮発性メモリにからなるメモリに記憶させておき、電源回復時に上記メモリに記憶された内容に基づき、電源断によりデータ転送した転送先を告知するようにしたことを特徴とするバックアップ機能を備えた送受信システム。
【請求項３】
上記操作部は、他の送受信装置の転送先を設定登録すると同時に、転送させるデータの出力を防止するために親展送信するように設定することを特徴とする請求項１又は２記載のバックアップ機能を備えた送受信システム。
【発明の詳細な説明】
【０００１】
【発明が属する技術分野】
本発明は、ファクシミリ装置や他の送受信装置等をネットーワーク又は電話回線を介して接続し、必要なデータを送受信可能にしてなる送受信システムにかかり、特に必要はデータを電源断時にバックアップするようにしたバックアップ機能を備える送受信システムに関する。
【０００２】
【従来の技術】
近年、必要となるデータを相手方から受信、あるいは相手方へと送信するようにシステム構成された送受信装置、例えばファクシミリ装置等において、多機能化、高機能化により、送受信データの保持用に不揮発性メモリを備えるものが一般的になってきた。
【０００３】
しかし、受信データを蓄積するメモリは、一部の高級機や高価格機を除いて電源を落とすと、受信データが消滅する揮発性メモリを使用しており、そのため、不意の電源断により蓄積されている送受信データが消滅されることになる。そのため、揮発性メモリのデータの保持を行う方法として、主電源とは別に、一時的に電力供給を行う予備のバックアップ電源を用意しておき、電源断時に、バックアップ電源から電力供給を行うように構成されている。
【０００４】
これは、オペレータによる不注意による一時的な電源断には効果的に作用する。しかし、停電等による長期の電源断の場合には、バックアップ電源の時間的な規制により、電力供給を行えなくなった時点で、蓄積されたデータが消滅してしまう。
【０００５】
従来のパーソナルコンピュータ等の装置においては、停電検出時にバックアップ電源に切換えられると、揮発性メモリに記憶されたデータを、内部の固定磁気ディスク等の不揮発性メモリへ転送して記憶を保持するように構成されたものもある。
【０００６】
また、ファクシミリ、複写機、プリンタ、及びスキャナの機能を備えたマルチファンクション装置においては、揮発性メモリに使用している送受信用の画情報メモリの記憶容量は２Ｍバイド、例えばＡ４サイズの用紙のイメージデータとした場合、１２０枚記憶可能な容量をもったものを備えている。これに対し不揮発性メモリを使用している登録データや管理データ等を格納するシステムメモリや、送受信制御部であるＣＰＵが実行するためのプログラムを格納したプログラムメモリの容量は、それぞれが６４Ｋバイド（Ａ４サイズの用紙のイメージデータとした場合、約４枚記憶可能）である。そのため、揮発性メモリに記憶された送受信データを、装置内に予め備えた不揮発性メモリへ転送して記憶させることはできない。
【０００７】
従って、揮発性メモリに記憶された送受信データを、その装置内で記憶保持させるためには、わざわざ別に送受信データの退避用の固定磁気ディスク等の不揮発性メモリを備える必要がある。そのため、送受信のためのデータ記憶メモリの容量と同等又はそれ以上の不揮発性メモリを別途用意しておく必要があるため、当然コスト高になる。しかも、そのメモリは停電等において主に利用されるだけであり、使用頻度が低下し非常に無駄でもある。
【０００８】
これに対し、上述したマルチファンクション装置を含む、送受信装置においては、プリンタ部分（印字部）の故障等による修理のために、一時的に送受信装置Ａの電源を断する場合、オペレータにて事前に揮発性メモリに記憶されたデータを別の送受信装置Ｂに転送する方法が特開平５−９５４３４号公報に記載されている。これにより、プリンタ等のトラブル時に、送受信データを他の送受信装置に転送させて退避記憶されておくことができる。そのため、電源断時に必要なデータを他に退避させてバックアップすることが可能となる。
【０００９】
【発明が解決しようとする課題】
上述した公報記載の技術では、送受信装置Ａ側で故障した場合、オペレータが主動で転送指示を出し、一方の送受信装置Ｂ側へと転送終了後に、オペレータ自身により電源を断させる必要がある。そのため、送受信装置のプリンタのトラブル発生により、オペレータ側で事前に指示することで、送受信データを保護できる。
【００１０】
しかし、送受信装置の不意の停電等や、オペレータの不注意による電源断時においては、送受信データを他の送受信装置へと退避させ記憶させることができず、そのデータが消滅し、保護することはできない。特に、装置のトラブル等においては、事前にその事態をオペレータは認識できる。そのため、上述したように送受信データを保護するために、公報記載の技術によれば、保護のための操作を行うことが可能である。この点、不意の電源断においてはそのような操作は不可能となる。
【００１１】
よって、送受信装置側で必要となる送受信データについては、電源断時に良好な状態で保護（バックアップ）することはできず、これを保護しようとすれば、上述した従来による不揮発性メモリを個々の装置に別途設ける必要が生じる。
【００１２】
本発明は、送受信装置において、必要な送受信データについては、不意の電源断についても、確実に保護することができるバックアップ機能を備えた送受信システムを提供することを目的としている。
【００１３】
本発明の目的は、例えばネットワーク接続された送受信装置内でのバックアップ機能、つまり送受信データを確実に保護できるようにするものであって、不揮発性メモリを特別に設けることなく、データのバックアップを可能にすることにある。
【００１４】
【課題を解決するための手段】
本発明による上述した目的を達成するためのバックアップ機能を備える送受信システムは、送受信装置と他の送受信装置に送受信可能なようにネットワーク又は電話回線を介して接続してなる送受信システムにおいて、
上記送受信装置には送受信するための必要となるデータを記憶する揮発性メモリから構成される記憶手段と、
一つの送受信装置の電源断により、該電源断された送受信装置の記憶手段に記憶されたデータを、他に接続された送受信装置へと転送して記憶保持させるようにしてなる制御手段と、を備え、
上記送受信装置は、接続された他の送受信装置へと記憶手段に記憶されたデータを転送するために、電源断により上記記憶手段に記憶されたデータを転送するために複数の転送先の送受信装置を任意に設定登録できる操作部を備え、
上記制御手段は、電源断に応じて設定登録されネットワーク接続された送受信装置の中から転送可能か否かを確認し、転送可能な送受信装置へと上記記憶手段に記憶されたデータを転送してなり、当該転送可能な送受信装置がない場合、電話回線を介して接続され設定登録された外部の送受信装置の中から転送可能状態を確認し、転送可能な外部の送受信装置へと上記記憶手段に記憶されたデータを転送するようにしたことを特徴とする。
【００１５】
このような構成によれば、主電源による電源断によりネットワーク又は電話回線を介して接続された他の送受信装置の中から、特に動作可能な送受信装置の記憶手段にデータを退避記憶させるために転送処理が行われる。つまり、転送先の送受信装置を複数設定登録しておくことで、場合によってデータの受信が可能でない場合には、その受信が可能な送受信装置を的確に確認してデータ転送するため、確実にデータのバックアップを行える。そのため、データを受ける他の送受信装置側では、その転送されてきたデータを記憶手段、例えば揮発性メモリにて構成されるものであっても、電源が断されない限りは確実に保持しておくことができる。この場合、ネットワーク接続されたものにおいて、夜間等には通常電源が断状態に設定されている場合がある。そのため、電源断によりネットワーク接続された送受信装置への転送が不可能な場合、外部接続された送受信装置への転送可能状態を確認し、転送可能な外部の送受信装置へと転送し、データの保護を行える。
【００１６】
また、上述した目的を達成するための他のバックアップ機能を備えた送受信システムは、送受信装置と他の送受信装置に送受信可能なようにネットワーク又は電話回線を介して接続してなる送受信システムにおいて、
上記送受信装置には送受信するための必要となるデータを記憶する揮発性メモリから構成される記憶手段と、
一つの送受信装置の電源断により、該電源断された送受信装置の記憶手段に記憶されたデータを、他に接続された送受信装置へと転送して記憶保持させるようにしてなる制御手段と、
上記電源断された送受信装置の記憶手段に記憶されたデータを、他の接続された送受信装置へと転送する転送先の送受信装置を任意に設定登録できる操作部とを備え、
上記制御手段は、転送した転送先の送受信装置からデータの転送が完了した結果を不揮発性メモリにからなるメモリに記憶させておき、電源回復時に上記メモリに記憶された内容に基づき、電源断によりデータ転送した転送先を告知するようにしたことを特徴とする。
【００１７】
このような構成によれば、一つの送受信装置側で、予め電源断に備えて他の送受信装置を設定登録しておき、その送受信装置側でのデータのバックアップを確実に行わせることができる。そのため、電源断された送受信装置を利用しているオペレータ自身が非常に使い勝手のよい送受信装置を選択できるため、データがバックアップされた送受信装置を知ることができ、そのデータの出力を行うことができる。また、オペレータは電源回復により電源断された送受信装置から転送された転送先の送受信装置を的確に把握できる。そのため、必要なデータを転送先の送受信装置側より出力処理等を行い、そのデータを容易に得ることができる。
【００１８】
また、上述した構成を特徴とするバックアップ機能を備えた送受信システムにおいて、他の送受信装置の転送先を設定登録すると同時に、転送させるデータの出力を防止するために親展送信するように設定することができる。このように電源断された側の送受信装置の必要なデータが他の送受信装置に転送され、それが不意に出力処理され、内部機密等が漏洩するような場合には効果的に作用する。つまり親展により転送を行ったことで、不用意に出力処理されることはなく、機密保持が保護され、出力あせる場合には、固有のＩＤ番号やパスワード等を入力させることで、情報開示、つまり出力処理を可能にできる。
【００２２】
【発明の実施の形態】
以下に図面を参照して本発明によるバックアップ機能を備えた送受信システムの一実施形態について説明する。
【００２３】
図１は、本発明による送受信システムを構成する一つの送受信装置の内部の制御回路構成を示す図であり、図２は各送受信装置をネットワーク接続、及び電話回線等を介して接続構成された送受信システムの接続状態の一例を、図３は一つの送受信装置の接続例を示す外観図を示している。
【００２４】
図２を参照して本発明の送受信システムの全体の構成について説明する。主送受信装置１０は、ローカルネットワーク（ＬＡＮ）１００に、それぞれ複数の他の送受信装置３００，３００・・がトランシーバ５０を介してネットワーク接続されている。この主送受信装置１０は、例えばレーザプリンタを印字部として備え、原稿の画像を読取るスキャナ、送受信データを電話回線を介して外部の各送受信装置２００，２００・・へと送るモデム等を含む通信制御部等を備えたマルチファンクション装置にて構成されるものである。また、主送受信装置１０は、ネットワーク１００に図示しないパーソナルコンピュータ等をも接続されており、そのネットワーク内でパーソナルコンピュータ側で作成した画像データ等を主送受信装置１０のプリンタを利用してハードコピーを出力できるように構成されている。
【００２５】
また、主送受信装置１０は、電話回線２０１を介して外部の送受信装置２００，２００・・と接続され、それぞれの送受信装置間での必要なデータの送受信をも可能にしている。
【００２６】
なお、上述したように主送受信装置１０やパーソナルコンピュータ、さらに他の送受信装置３００等をネットワーク接続する手段としては、ＬＡＮでなく、パラレルインターフェースを用いて、パソコンシステムとを直接接続するようにしてもよい。
【００２７】
上記一つの送受信装置１０は、例えば図３に示すように、装置の背面にはコネクタ４４が設けられている。このコネクタ４４は、ＬＡＮ１００と接続するためのケーブル４５の一端に接続されたコネクタ４６と接続され、ＬＡＮ１００を介してデータの送受信を可能にしている。そのため、ケーブル４５の他端は、ＬＡＮ１００に取付けられたタップ４７に、トランシーバ５０を介して接続されている。
【００２８】
よって、コネクタ４６を、送受信装置１０側のコネクタ４４に接続することで、主送受信装置１０とＬＡＮ１００との間で、送受信装置１０側のＬＡＮＩ／Ｆ（インターフェース）を介してデータの送受信を可能にしている。
【００２９】
なお、ネットワーク接続された他の送受信装置３００についても、ＬＡＮ１００に送受信装置１０と同様にトランシーバ５０を介して接続されており、また電話回線２０１を介して接続されている外部の送受信装置２００側についても、必要に応じてＬＡＮ１００等にてその他の別の送受信装置が任意に接続されている。
【００３０】
（本発明の第１の実施形態）
次に、上述したネットワーク及び電話回線を介して接続された主送受信装置１０を含むシステム構成について説明する。
【００３１】
上記主送受信装置１０は、送信する画情報（画像データ）を符号化圧縮するとともに、符号化圧縮されて送られてきた受信画情報を元の画情報に符号化（再生）する画情報圧縮再生部１１、送受信された画情報等を蓄積し記憶してなる揮発性メモリで構成される画情報メモリ１２、登録データや転送結果情報等を格納する不揮発性メモリ等から構成されるシステムメモリ１３、送受信装置１０を操作する各種操作キーや液晶表示装置等、後に説明する転送先の送受信装置を登録設定するために備える操作表示部１４、文字コードをパターン変換するパターンジェネレータ１５、装置各部の制御処理を行うＣＰＵ（中央処理装置）、当該ＣＰＵが実行するプログラムを格納したＲＯＭ、プログラムを実行する際の作業領域となるＲＡＭ等からなる送受信制御部１６等を備えている。
【００３２】
そして、主送受信装置１０は、送受信するためにデータを一時記憶するラインバッファメモリ１７、複写機能、ファクシミリ機能を達成するために原稿を走査して画像を読取るスキャナ１９、印刷機能（プリント機能）を達成するために必要な画情報等をハードコピーとして出力するためのレーザプリンタ等からなる印刷部１８、ファクシミリ機能を達成するＧ３／Ｇ４による送受信を制御する通信制御部２０、送受信画情報の変調、復調を行うモデム２０Ａ、送受信装置１０を電話回線に接続するためのもので、自動発着信機能を備えた網制御装置２０Ｂ、各部を接続し、各部間でのデータのやり取りを行うためのシステムバス２１を備え、該システムバス２１を通じて送受信制御部１６は、送受信装置１０を構成する上述した各部の制御を行うように構成されている。
【００３３】
さらに、主送受信装置１０は、送受信装置を構成する上述した各部に電力供給を行うための主電源回路４１、主電源回路４１とは別に主電源の断時において、送受信装置の主要部に電力供給を行う予備電源であるバックアップ電源４２とを備え、その電力供給により動作する。そこで、本発明においては上記主電源回路４１が断になると、この断を検出して、バックアップ電源４２からの給電に切替える切替制御部４０を備えている。この切替制御部４０にて、バックアップ電源４２に切替えられると、少なくとも画情報メモリ１２の蓄積データをバックアップするために給電を行うことになる。
【００３４】
そして、主送受信装置１０の上記送受信制御部１６には、ＬＡＮ１００を介して図２に示すように他の送受信装置３００との間でのデータの送受信を行うための接続部であるＬＡＮＩ／Ｆ３０が備えられている。このＬＡＮＩ／Ｆ３０は、図３にて説明したようにコネクタ４４にコネクタ４６が接続されることで、ＬＡＮ１００との間での送受信を可能にするものである。
【００３５】
上記ＬＡＮＩ／Ｆ３０は、データを送受信装置１０からＬＡＮ１００へ適正に送出できるようにするために、周知のＣＳＭＡ／ＡＤ方式に従ってアクセス制御を行う機能を有するネットワークコントローラと、送受信装置１０からＬＡＮ１００へ送出されるデータをパラレルデータからシリアルデータに変換すると共に、ＬＡＮ１００から伝送されるシリアルデータをパラレルデータに変換して送受信装置１０へと導入するためのシリアルインタフェースアダプタから構成されている。
【００３６】
上述した主送受信装置１０の構成と同様に、ＬＡＮ１００にて接続された他の送受信装置３００，３００・・、また電話回線２０１を介して外部接続されている別の送受信装置２００，２００・・においても、同様の構成である。そして、主送受信装置１０の網制御装置２０Ｂは、電話回線２０１を介して外部の送受信装置３００，３００・・の各網制御装置２０Ｂにそれぞれ接続され、電話番号に応じた回線により相手方への必要なデータの送受信を行うことができる。
【００３７】
以上の構成において、以下に本発明による送受信されるデータを説明を簡単にするために一つの主送受信装置１０が、電源断により、そのデータを保護（バックアップ）するための送受信システム構成の制御について制御フローチャートを参照して説明する。その制御フローチャートは図４及び図５に、その一例を示している。
【００３８】
例えば、図１において主送受信装置１０をメインにして説明すれば、該送受信装置１０が正常に動作していれば、主送受信装置１０の画情報を他の送受信装置２００，２００・・の特定のものに送信する場合、電話回線２０１を介して相手方の電話番号にて送受信接続を行えるように発呼する。そして、相手方の送受信装置２００との送受信可能な状態に接続されれば、主送受信装置１０側の画情報を接続した送信先の送受信装置２００へと送信する。
【００３９】
上記主送受信装置１０側の画情報は、ファクシミリ機能として動作させる場合には、スキャナ１９にて読取った画情報である。また、図示しないパーソナルコンピュータからＬＡＮ１００等を介して転送されてくるデータが、文字コードデータ等であれば、それをパターンジェネレータ１５等にて得られるビット情報に変換し、それを画情報として転送先に送信することもできる。またパーソナルコンピュータから送られてくるデータが画情報そのものであれば、そのまま送受信状態に接続した相手先へとその情報を送信する。
【００４０】
このようにして画情報を送受信可能状態に接続した状態で送信している時には、主電源回路４１より各部へと必要な電力供給が切替制御部４０の指令に従って、送受信制御部１６にて供給制御されている。特に、相手方に送信するための画情報等を蓄積記憶した画情報メモリ１２への電力供給を行い、その記憶を保持している。また、スキャナ１９を動作させるための電力供給を行う。操作表示部１４の表示装置にて必要な情報を表示させるために電力供給が、それぞれにおいて行われている。
【００４１】
また、主送受信装置１０に他の送受信装置３００が画情報が送信されてきた時には、その画情報を一時画情報メモリ１２等に記憶させるために、上述した主電源回路４１より記憶保持に必要な電力が供給されている。そして、受信した画情報をハードコピーとして出力するために印刷部１８に電力供給が行われ、印刷部１８を動作させる。
【００４２】
上述したように送受信装置１０にて必要となる画情報の送信、又は受信を行っている時には、図４のフローを参照して説明すれば、切替制御部４０は、主電源回路４１の電源断を検出しておらず、その時に動作が必要な各部に電力供給を行うように制御（Ｓ１）している。その処理中に、停電等にて電源が断状態になれば、主電源回路４１からの電力供給を行えなくなる。そのため、その電源断を切替制御部４０が検知（Ｓ２）すれば、予備電源回路であるバックアップ電源４２に自動的に切換えられる（Ｓ３）。この切替えにより画情報メモリ１２への電力が、バックアップ電源４２からの電力供給にて維持される。
【００４３】
この時、上記バックアップ電源４２の電力量が第１の閾値以上の場合には、正常に送信又は受信処理を続ける。そのため、その第１の閾値としては、受信処理を行っている時には画情報メモリ１２への電力供給、さらに送受信制御部１６を含めて受信された画情報データを画情報メモリ１２に記憶処理させるために必要な部分を動作あせるために必要となる電力量を示すものである。この場合、受信されるデータを記憶させるだけの場合には、印刷部１８やスキャナ１９への電力供給を行う必要はなく、それらを除く電力供給にて動作できる電力量にすればよい。また、送信処理においては、スキャナ１９にて読取処理を行っている場合には、そのスキャナ１９への電力供給にて動作させることができる電力量を含めたものとなる。
【００４４】
従って、Ｓ４においては、第１の閾値以上の電力量をバックアップ電源４２にて確保できている場合には、送受信処理を送受信に必要となる各部分への電力供給を行い、その動作継続させる。そして、バックアップ電源４２による電力量が第１の閾値以下になれば、現時点での送受信処理を行っているか否かを確認（Ｓ５）する。もし、送受信処理を行っていない場合には、その後の送受信動作を禁止（Ｓ６）し、バックアップ電源４２の電力量がさらに低下し、第２の閾値になったか否かを確認（Ｓ７）する。
【００４５】
そこで、第２の閾値による電力量とは、画情報メモリ１２に蓄積された情報を保持できる電力量以上のものとなる。そして第２の閾値まで低下すれば、次に画情報メモリ１２に蓄積された情報を確実に保護（バックアップ）するために、電源断されていないＬＡＮ１００接続された他の送受信装置３００，３００の何れかに転送して退避させるために、送受信制御部１６へと転送指示を行う。これは、切替制御部４０側で、その電力低下を確認し、第２の閾値になった時点でその指示（Ｓ８）を送受信制御部１６に行う。
【００４６】
送受信制御部１６は、転送指示が切替制御部４０から入力、つまり第２の閾値になったことが検出されれば、画情報メモリ１２に送受信されたデータが蓄積されているか否かを確認（Ｓ９）する。もし、蓄積データがなければ、その時点ですべての動作を完了する。
【００４７】
また、画情報メモリ１２に送受信データが蓄積されているのを確認すれば、予め操作表示部１４にて転送先が設定登録されており、その設定登録された転送先の送受信装置３００へと蓄積された送受信データを転送する。これは、図５に示すステップＳ１４の処理である。
【００４８】
これにより、主送受信装置１０側で電源断された時点で、バックアップ電源４２にて必要部分への電力供給が行われ、バックアップ電源４２の電力状況に応じて他の予め設定登録されている送受信装置３００へと、画情報メモリ１２に蓄積されたデータを保護するために、転送させて退避記憶させるバックアップ機能が働く。
【００４９】
ここで、電源断された時に、設定登録しておく相手方、つまり転送先については、予め送受信装置１０側に登録しておく。その登録は、操作表示部１４にてローカルネットワーク（ＬＡＮ）１００を介して接続された他の送受信装置（例えばファクリミリ装置）３００側の特定のものを登録入力しておく。この場合、登録先については複数を設定しておくこが好適である。つまり、一つの送受信装置３００が相手と送受信中、またトラブル等にて電源断状態であれば、転送することができない。そのため、電源断になった送受信装置１０側のデータの転送を受け入れることができなくなり、転送不可となった時に、データの保護を行えなくなる。そのため、その他の送受信装置３００との間での送受信が可能かを確認し、その可能な送受信装置３００を順次探査して探すためにも重要となる。
【００５０】
従って、図５を参照して説明すれば、主送受信装置１０側の画情報メモリ１２に記憶されたデータの保護を必要とする時には、ＬＡＮ１００に接続された他の送受信装置３００への転送先が登録されているか否かを確認（Ｓ１０）した後、転送先の相手先を順位設定登録された順、あるいは優先順位に従って順次読み出し（Ｓ１１）、転送を行うための相手先からの受信許可の応答を確認（Ｓ１２，Ｓ１３）する。つまり、相手先へと確認コマンドを発呼し、相手先が送受信動作を行っておらず、電源断されずに待機中の場合には、受信許可を送出する。しかし、その受信許可を入力できなければ、次に登録した相手先へと確認コマンドを発呼する。
【００５１】
上述のことを順次行い、相手先から受信許可を入力すれば、送受信装置１０側から、画情報メモリ１２に記憶されている送受信データを読出し、受信許可された転送相手先の送受信装置３００へと転送を開始（Ｓ１４）する。その転送が完了（Ｓ１５）すれば、その転送が正常に行われからことを示す転送結果情報を転送相手先の送受信装置３００側から転送され、これを主送受信装置１０側の不揮発性メモリであるシステムメモリ１３に記憶させる。これにより、必要となるデータを停電や、また不注意による電源断時に、消滅させることなく保護（バックアップ）できる。この場合、転送されたデータは、正常に動作している他の送受信装置３００の画情報メモリ（１２）に記憶保持される。従って、このメモリは揮発性メモリであってもよい。
【００５２】
一方、停電等による電源断から主電源が回復し、送受信装置１０が復帰（Ｓ２１）すれば、そのシステムメモリ１３に記憶されている転送結果情報を送受信制御部１６が読出し、パターンジェネレータ１５を介して文字コード等をドットパターンデータに変換し、それを操作表示部１４に表示（Ｓ２２）させ、オペレータに告知できる。その表示内容に基づいて、オペレータはデータが保護されている相手先の送受信装置３００を知ることができる。その相手先の送受信装置３００側で、必要に応じてハードコピー等の出力処理を行うこともできる。また、相手先の送受信装置３００側からデータ保護を求めた主送受信装置１０側へとデータ転送を行うように指示することもできる。
【００５３】
また、停電等の電源断の状態から主電源が復帰（Ｓ２１）すれば、上述したように操作表示部１４に送受信装置３００の転送先を表示する代わり、あるいはそれと同時にメモリ内容を保護した転送先の送受信装置３００をラインバッファメモリ１７に展開し、印刷部１８を介して記録紙に出力させて、オペレータに告知することもできる。
【００５４】
なお、説明が後になったが、バックアップ電源４２の電力量の閾値の判断基準としては、切替制御部４０にてバックアップ電源の電圧を測定することにより検出し、これを基に決められた電圧値と比較して行う。これにより、切替制御部４０はそれぞれの閾値になった状態を送受信制御部１６に入力し、その入力に従って送受信制御部１６にて電源供給の制御を行うと同時に、上述した処理を実行することになる。
【００５５】
（本発明の第２の実施形態）
上述した第１の実施形態によれば、送受信装置１０側での電源断において、画情報メモリ１２に記憶されているデータの保護を目的として、ネットワーク接続されている他の送受信装置３００，３００・・へとデータ転送を行い、その送受信装置３００側の画情報メモリ１２等に記憶保持させるようにしている。
【００５６】
そこで、送受信装置３００等、ローカルネットワーク（ＬＡＮ）１００接続されたものにおいては、夜間等には通常電源が断状態に設定されている場合がある。そのため、主送受信装置１０側での送受信の動作中に電源断により画情報メモリ１２に蓄積されたデータ保護を目的とするために、送受信装置３００側への転送を行い、保護させることができない場合がある。
【００５７】
このような場合には、電話回線２０１を介して外部接続される別の送受信装置（ファクシミリ装置）２００，２００・・側に転送して保護させることができる。そのため、予め転送先の送受信装置２００，２００・・を第１の実施形態において説明したように操作表示部１４を介して設定登録しておく。
【００５８】
そして、図５を参照して説明すれば、送受信制御部１６を介してデータの転送開始指示を行うことにより、ステップＳ１０からステップＳ１６へと推移させ、自動的に電話回線２０１を介して接続されている外部の送受信装置２００への転送指示を行う（Ｓ１６）。
【００５９】
その指示に従って、予め登録されている相手側の電話番号等を順次読出し（Ｓ１７）、転送を行う相手先に発呼する（Ｓ１８）。その発呼にて相手先が受け入れ可能である場合には受信許可が相手先から送信（Ｓ１９）されてくる。しかし、その受け入れ可能でなければ、不可として送受信装置１０側に送り返され、次に登録されている相手先の電話番号を読出し発呼する。
【００６０】
このようにして受信可能な送受信装置２００が見つかれば、送受信装置１０側の画情報メモリ１２に記憶されたデータを読出し、画情報圧縮再生部１１で再度符号化した後、転送する相手先の送受信装置２００に合う符号化方式に変換し、その相手先の送受信装置２００へと転送を開始（Ｓ２０）する。その転送を完了すれば、先に第１の実施形態において説明した通りのステップＳ１５→Ｓ２１→Ｓ２２の処理を実行する。
【００６１】
従って、ＬＡＮ１００接続された他の送受信装置３００への転送を行えない場合には、外部接続されている送受信装置２００へと電源断された送受信装置１０に蓄積されたデータを転送して保護させることができる。また、その転送先についても、主電源４１の回復により送受信装置１０が動作可能となれば、操作表示部１４、あるいは記録紙にてオペレータに告知するように出力すれば、その内容を確認することでオペレータは容易に把握できる。
【００６２】
一方、ＬＡＮ１００接続された送受信装置３００へと転送することなく、予め外部接続された送受信装置２００へと転送するように登録されているような場合には、図５のステップＳ１０においてＬＡＮ１００接続されたものでないことを確認し、ステップＳ１６へと進み、上述した処理を実行することになる。
【００６３】
このように、転送先については、予め送受信装置１０側で任意に設定できるため、その設定に応じて転送先が選べる。そのため、オペレータにとって最も勝手のよい送受信装置を最初の転送先に選択しておくと非常に便利である。
【００６４】
なお、転送する相手先を登録する場合、特定の相手先については「親展送信」であることを同時に登録させるようにし、親展送信するようにすれば、相手先での秘密保持が可能となる。即ち、他の送受信装置に転送する場合、画情報は転送先が受信した転送データを通常の受信データと混同し、転送先でハードコピーとして出力処理される可能性があり、それを防止できる。従って、親展送信においては、秘密保持を行う必要な相手先を選ぶことも重要な要因の一つになる。
【００６５】
【発明の効果】
本発明の構成による送受信システムによれば、送受信装置側での不意の電源断や停電等に陥った状態においても、送受信されているデータを蓄積しているメモリ内のデータ保護を目的として、この装置とネットワークや外線等を介して接続された他の送受信装置へと転送し保護することができる。そのため、上記メモリとしては不揮発性のメモリを別途用いることなく、安価な揮発性メモリを用いても確実なバックアップ機能を達成できる。
【００６６】
また、メモリ内容のデータ保護を行うために、転送先の送受信装置を予め登録しておくことで、最も便利な転送先を選ぶことができるため、オペレータの負担を軽減することができる。特に転送先については、電源回復時にオペレータに告知するようにもでき、これにより容易に転送先を知ることができ、後の処理が非常に便利になる。
【００６７】
しかも転送においては親展送信を予め登録しておくことで、転送先での故意による出力を防止でき、秘密保持を可能にできる。
【００６８】
さらに、転送先としては、内部接続されるＬＡＮ等に限ることなく、外部接続、例えば電話回線を介して接続される他の送受信装置への転送を可能にできるため、汎用性に富むバックアップ機能を可能にできる。
【図面の簡単な説明】
【図１】本発明にかかる送受信装置の全体の構成及び送受信装置をネットワーク及び外線接続してなるシステム構成を説明するためのブロック図である。
【図２】本発明にかかる送受信装置をネットワーク接続及び電話回線接続した全体のシステム構成を示した概念図である。
【図３】本発明にかかる送受信装置をローカルネットワーク接続するための概要を説明するための送受信装置の背面より見た外観図である。
【図４】本発明のシステム構成において、送受信データを他の送受信装置に転送してバックアップする機能を達成すための図１に示す制御回路構成による制御フローチャートである。
【図５】図４に示す制御フローチャートの続きを示す制御フローチャートである。
【符号の説明】
１０    送受信装置
１２    画情報メモリ
１３    システムメモリ
１４    操作表示部
１６    送受信制御部（制御手段）
１８    印刷部（プリンタ）
１９    スキャナ（読取手段）
２０    Ｇ４／Ｇ３通信制御部
２０Ａ  モデム
２０Ｂ  網制御手段
３０    ＬＡＮＩ／Ｆ（ローカルネットインターフェース）
４０    切換制御部
４１    主電源回路
４２    バックアップ電源
５０    トランシーバ
１００    ＬＡＮ（ローカルネットワーク）
２００    外部の送受信装置
２０１    電話回線
３００    ネットワーク接続される送受信装置
【図１】
0003566872.tif 000002
【図２】
0003566872.tif 000003
【図３】
0003566872.tif 000004
【図４】
0003566872.tif 000005
【図５】
0003566872.tif 000006